(57)【要約】【課題】  動電型スピーカにおいて、コストを低減する。【解決手段】  ボイスコイル８の内側には永久磁石２が配置されている。ボイスコイル８の外側には、外形円筒形状の円筒部材３の内部空洞４に磁性流体５が封入されたものが配置されている。これにより、ボイスコイル８の外側に比較的高価な永久磁石を設ける場合と比較してコストを低減することができる。なお、ボイスコイルの内側に磁性流体を含むものを配置し、ボイスコイルの外側に永久磁石を配置してもよい。また、ボイスコイルの内側および外側に磁性流体を含むものを配置してもよい。【選択図】図１
2013120960.tif 000002
【特許請求の範囲】
【請求項１】
ボイスコイルの内側および外側にそれぞれ磁石が設けられた電気音響変換装置において、前記２つの磁石のうち少なくとも１つは磁性流体を含むものによって形成されていることを特徴とする電気音響変換装置。
【請求項２】
請求項１に記載の発明において、ベース板と、前記ベース板の上面中央部に設けられた前記磁石としての永久磁石と、前記ベース板の上面外周部に設けられ、外形が円筒形状で内部が空洞の円筒部材と、前記円筒部材の空洞内に設けられた前記磁性流体と、下面外周部が前記円筒部材の上面に固着された振動膜と、前記振動膜の下面中央部に設けられ、前記円筒部材の内側において前記永久磁石の周囲に上下動可能に配置された前記ボイスコイルとを備えていることを特徴とする電気音響変換装置。
【請求項３】
請求項２に記載の発明において、前記振動膜は、ドーム状部の外周部にドーム状のリング状部が設けられた構造であり、前記振動膜の下面外周部は前記円筒部材の上面外周部に固着されていることを特徴とする電気音響変換装置。
【請求項４】
請求項１に記載の発明において、ベース板と、前記ベース板の上面中央部に設けられ、外形が棒状で内部が空洞の棒状部材と、前記棒状部材の空洞内に設けられた前記磁性流体と、前記ベース板の上面外周部に設けられ、外形が円筒形状で内部が空洞の円筒部材と、前記円筒部材の空洞内に設けられた前記磁性流体と、下面外周部が前記円筒部材の上面に固着された振動膜と、前記振動膜の下面中央部に設けられ、前記円筒部材の内側において前記棒状部材の周囲に上下動可能に配置された前記ボイスコイルとを備えていることを特徴とする電気音響変換装置。
【請求項５】
請求項１に記載の発明において、有底円筒形状のフレームと、前記フレームの底部上面中央部に設けられ、外形が棒状で内部が空洞の棒状部材と、前記棒状部材の空洞内に設けられた前記磁性流体と、前記フレームの底部上面外周部に設けられた円筒形状の前記磁石としての永久磁石と、下面外周部が前記フレームの周壁部上面に固着された振動膜と、前記振動膜の下面中央部に設けられ、前記永久磁石の内側において前記棒状部材の周囲に上下動可能に配置された前記ボイスコイルとを備えていることを特徴とする電気音響変換装置。
【発明の詳細な説明】
【技術分野】
【０００１】
この発明は電気音響変換装置に関する。
【背景技術】
【０００２】
従来の携帯電話等で用いられている電気音響変換装置には、磁気回路を有する動電型スピーカといわれるものがある（例えば、特許文献１参照）。特許文献１に記載の動電型スピーカでは、円筒形状の永久磁石の内側にヨークが設けられ、永久磁石およびヨークの上側に振動膜が設けられ、振動膜の下面中央部にボイスコイルの上部が取り付けられている。ボイスコイルは、永久磁石の内側においてヨークの周囲に上下動可能に配置されている。この動電型スピーカでは、ボイスコイルに音声電流が流れると、この音声電流に応じてボイスコイルが上下動し、これに伴い振動膜が振動し、まわりの空気を振動させて放音するようになっている。
【先行技術文献】
【特許文献】
【０００３】
【特許文献１】特開２００４−１８７０３１号公報
【発明の概要】
【発明が解決しようとする課題】
【０００４】
しかしながら、上記従来の動電型スピーカでは、永久磁石およびヨークの材料として、希少金属であるジスプロシウムを含むネオジウム合金を用いる場合が多く、コスト高となってしまうという問題がある。
【０００５】
そこで、この発明は、コストを低減することができる電気音響変換装置を提供することを目的とする。
【課題を解決するための手段】
【０００６】
この発明に係る電気音響変換装置は、ボイスコイルの内側および外側にそれぞれ磁石が設けられた電気音響変換装置において、前記２つの磁石のうち少なくとも１つは磁性流体を含むものによって形成されていることを特徴とするものである。
【発明の効果】
【０００７】
この発明によれば、コストを低減することができる。
【図面の簡単な説明】
【０００８】
【図１】この発明の第１実施形態としての電気音響変換装置の要部の断面図。
【図２】この発明の第２実施形態としての電気音響変換装置の要部の断面図。
【発明を実施するための形態】
【０００９】
（第１実施形態）
図１はこの発明の第１実施形態としての電気音響変換装置の要部の断面図を示す。この電気音響変換装置は樹脂からなる円形状のベース板１を備えている。ベース板１の上面中央部には棒状の永久磁石２が接着剤（図示せず）を介して固着されている。ベース板１の上面外周部には樹脂からなる外形円筒形状の円筒部材３が接着剤（図示せず）を介して固着されている。円筒部材３の内部は空洞４となっており、この空洞４には磁性流体５が封入されている。磁性流体５としては、一例として、マンガン亜鉛フェライトを含むコロイド溶液が挙げられる。
【００１０】
円筒部材３の上面外周部にはポリエチレンテレフタレート等からなる平面円形状の振動膜６の下面外周部が接着剤７を介して固着されている。振動膜６は、ドーム状部６ａの外周部にドーム状のリング状部６ｂが設けられた構造となっている。振動膜６の下面中央部にはボイスコイル８の上部が接着剤（図示せず）を介して固着されている。ボイスコイル８は、円筒形状の円筒部材３の内側つまり円筒形状の磁性流体５の内側において永久磁石２の周囲に上下動可能に配置されている。
【００１１】
このように、この電気音響変換装置では、ボイスコイル８の外側に、円筒部材３の内部空洞４に磁性流体５が封入されたものからなる磁石を配置している。磁性流体５は、希少金属であるジスプロシウムを含むネオジウム合金からなる永久磁石と比較して安価であり、したがってボイスコイル８の外側に比較的高価な永久磁石を配置する場合と比較してコストを低減することができる。
【００１２】
また、この電気音響変換装置では、振動膜６として、シート状ではなく、ドーム状部６ａの外周部にドーム状のリング状部６ｂが設けられた構造のものを用い、この振動膜６の下面外周部を円筒部材３の上面外周部に固着しているので、シート状の振動膜の下面外周部を円筒部材３の上面全体に固着する場合と比較して、振動膜６の振動可能面積を大きくすることができる。
【００１３】
（第２実施形態）
図２はこの発明の第２実施形態としての電気音響変換装置の要部の断面図を示す。この電気音響変換装置において、図１に示す場合と大きく異なる点は、ボイスコイル１８の内側に磁性流体１４を配置し、ボイスコイル１８の外側に永久磁石１５を配置した点である。すなわち、この電気音響変換装置は樹脂からなる有底円筒形状のフレーム１１を備えている。
【００１４】
フレーム１１の底部上面中央部には外形棒状の棒状部材１２が接着剤（図示せず）を介して固着されている。棒状部材１２の内部は空洞１３となっており、この空洞１３には磁性流体１４が封入されている。フレーム１１の底部上面外周部には円筒形状の永久磁石１５が接着剤（図示せず）を介して固着されている。
【００１５】
フレーム１１の周壁部上面全体には平面円形状でシート状の振動膜１６の下面外周部が接着剤１７を介して固着されている。振動膜１６の下面中央部にはボイスコイル１８の上部が接着剤（図示せず）を介して固着されている。ボイスコイル１８は、円筒形状の永久磁石１５の内側において棒状部材１２の内部空洞１４に封入された棒状の磁性流体１４の周囲に上下動可能に配置されている。
【００１６】
このように、この電気音響変換装置では、ボイスコイル１８の内側に、棒状部材１２の内部空洞１３に磁性流体１４が封入されたものからなる磁石を配置しているので、ボイスコイル１８の内側に比較的高価な永久磁石（ヨーク）を配置する場合と比較してコストを低減することができる。
【００１７】
ここで、図２に示す電気音響変換装置では、有底円筒形状のフレーム１１の内側に円筒形状の永久磁石１５を配置しているので、フレーム１１のサイズが比較的大きくなってしまう。これに対し、図１に示す電気音響変換装置では、ベース板１の上面外周部に円筒部材３を設け、この円筒部材３の内部空洞４に磁性流体５を封入しているので、ベース板１のサイズを比較的小さくすることができ、ひいては小型化することができる。なお、図１において、永久磁石２の代わりに、図２に示す、棒状部材１２の内部空洞１３に磁性流体１４か封入されたものを用いるようにしてもよい。
【００１８】
以下、この発明の諸態様を付記としてまとめて記載する。
【００１９】
（付記１）
付記１の発明は、ボイスコイルの内側および外側にそれぞれ磁石が設けられた電気音響変換装置において、前記２つの磁石のうち少なくとも１つは磁性流体を含むものによって形成されていることを特徴とする電気音響変換装置である。
【００２０】
（付記２）
付記２の発明は、付記１に記載の発明において、ベース板と、前記ベース板の上面中央部に設けられた前記磁石としての永久磁石と、前記ベース板の上面外周部に設けられ、外形が円筒形状で内部が空洞の円筒部材と、前記円筒部材の空洞内に設けられた前記磁性流体と、下面外周部が前記円筒部材の上面に固着された振動膜と、前記振動膜の下面中央部に設けられ、前記円筒部材の内側において前記永久磁石の周囲に上下動可能に配置された前記ボイスコイルとを備えていることを特徴とする電気音響変換装置である。
【００２１】
（付記３）
付記３の発明は、付記２に記載の発明において、前記振動膜は、ドーム状部の外周部にドーム状のリング状部が設けられた構造であり、前記振動膜の下面外周部は前記円筒部材の上面外周部に固着されていることを特徴とする電気音響変換装置である。
【００２２】
（付記４）
付記４の発明は、付記１に記載の発明において、ベース板と、前記ベース板の上面中央部に設けられ、外形が棒状で内部が空洞の棒状部材と、前記棒状部材の空洞内に設けられた前記磁性流体と、前記ベース板の上面外周部に設けられ、外形が円筒形状で内部が空洞の円筒部材と、前記円筒部材の空洞内に設けられた前記磁性流体と、下面外周部が前記円筒部材の上面に固着された振動膜と、前記振動膜の下面中央部に設けられ、前記円筒部材の内側において前記棒状部材の周囲に上下動可能に配置された前記ボイスコイルとを備えていることを特徴とする電気音響変換装置である。
【００２３】
（付記５）
付記５の発明は、付記１に記載の発明において、有底円筒形状のフレームと、前記フレームの底部上面中央部に設けられ、外形が棒状で内部が空洞の棒状部材と、前記棒状部材の空洞内に設けられた前記磁性流体と、前記フレームの底部上面外周部に設けられた円筒形状の前記磁石としての永久磁石と、下面外周部が前記フレームの周壁部上面に固着された振動膜と、前記振動膜の下面中央部に設けられ、前記永久磁石の内側において前記棒状部材の周囲に上下動可能に配置された前記ボイスコイルとを備えていることを特徴とする電気音響変換装置である。
【符号の説明】
【００２４】
１  ベース板
２  永久磁石
３  円筒部材
４  空洞
５  磁性流体
６  振動膜
７  接着剤
８  ボイスコイル
【図１】
2013120960.tif 000003
【図２】
2013120960.tif 000004